(57)【要約】      （修正有）【課題】蓋部材のロック解除から蓋部材の回転操作までを１操作で連続的に行うことができる飲料容器の栓体を提供する。【解決手段】容器本体ＣＢに装着される口部材１０と口部材に嵌め込んで回転操作によって開閉する蓋部材２０と蓋部材を全閉位置にロックするロック手段及びロックを解除するロック解除手段とを備える。ロック手段はロック解除位置とロック位置との間で出退可能な先端に係止突起３２を有するロック部材３１とロック部材をロック位置側に付勢するコイルバネ３３と蓋部材を全閉位置まで回転したときに係止突起に係合して蓋部材の開方向への回転操作を阻止する、口部材に設けられた係合部３４とを有し、ロック解除手段はロック部材をロック解除位置側に押込み可能に蓋部材に取り付けられ、蓋部材の開方向に押圧することでロック部材をロック解除位置側に押し込む操作部材４０を有している。【選択図】図４
0003195450.tif 000002
【実用新案登録請求の範囲】
【請求項１】
容器本体に装着される筒状の口部材と、
前記口部材の口部に嵌め込んで回転操作によって開閉する蓋部材と、
前記口部材の口部に嵌め込んで全閉位置まで回転した前記蓋部材を、その状態にロックするロック手段と、
前記ロック手段によるロックを解除するロック解除手段と
を備え、
前記ロック手段は、
ロック解除位置とロック位置との間で前記蓋部材の径方向に出退可能に前記蓋部材に取り付けられた、前記蓋部材の径方向に突出する係止突起を有するロック部材と、
前記ロック部材をロック位置側に付勢する付勢手段と、
前記蓋部材を全閉位置まで回転したときに、前記ロック部材の前記係止突起に係合して前記蓋部材の開方向への回転操作を阻止する、前記口部材に設けられた係合部と
を有し、
前記ロック解除手段は、前記ロック部材をロック解除位置側に押込み可能に前記蓋部材に取り付けられた操作部材を有し、
前記操作部材は、前記蓋部材の開方向に押圧することで、前記ロック部材をロック解除位置側に押し込むようになっていることを特徴とする飲料容器の栓体。
【請求項２】
前記操作部材は、前記蓋部材の内周面に沿ってスライド可能に前記蓋部材に支持されており、
前記蓋部材は、その周面に前記操作部材が露出する窓部を有している請求項１に記載の飲料容器の栓体。
【請求項３】
前記窓部は、前記蓋部材の周面から天面にわたって形成されている請求項２に記載の飲料容器の栓体。
【請求項４】
前記係合部は、前記口部材の内周面に設けられており、
前記蓋部材は、前記口部材内に入り込み、全閉位置まで回転したときに前記容器本体の開口部を閉塞する閉塞部を有し、
前記ロック部材は、ロック位置側に付勢された状態で、前記係止突起が前記閉塞部の外周面から径方向外側に突出するように、前記閉塞部内に収容されている請求項１、２または３に記載の飲料容器の栓体。
【考案の詳細な説明】
【技術分野】
【０００１】
この考案は、携帯用魔法瓶や水筒等の携帯用飲料容器に採用されている、容器本体に装着される口部材にねじ込み式の蓋部材が取り付けられた飲料容器の栓体に関する。
【背景技術】
【０００２】
この種の栓体としては、例えば、特開２０１４−９７８３２号公報に開示されたものがある。この栓体は、図９に示すように、容器本体５１に装着される、雄ねじ部５２ａを有する口部材５２と、この口部材５２の雄ねじ部５２ａに螺合する雌ねじ部を有する蓋部材５３とを備えており、口部材５２に対して蓋部材５３を全閉位置までねじ込むと、図示しないロック手段によって、蓋部材５３がその状態にロックされ、蓋部材５３を開方向に回転操作することができないようになっている。
【０００３】
また、この栓体には、ロック手段による蓋部材５３のロックを解除するためのロック解除部材５４が蓋部材５３に設けられており、このロック解除部材５４を蓋部材５３の径方向に押し込むことによって、蓋部材５３のロックが解除され、蓋部材５３を開方向に回転操作することができるようになっている。
【先行技術文献】
【特許文献】
【０００４】
【特許文献１】特開２０１４−９７８３２号公報
【考案の概要】
【考案が解決しようとする課題】
【０００５】
しかしながら、上述したような栓体では、全閉位置にロックされた状態から蓋部材５３を緩めて口部材５２から取り外そうとすると、まず、ロック解除部材５４を蓋部材５３の径方向に押し込んで蓋部材５３のロックを解除するというロック解除操作を行った後、ロックが解除された蓋部材５３を開方向に回転するという回転操作を行う必要があり、一連の動作で連続的に蓋を開けることができないといった問題がある。
【０００６】
そこで、この考案の課題は、蓋部材のロック解除から蓋部材の回転操作までを１アクションで連続的に行うことができる飲料容器の栓体を提供することにある。
【課題を解決するための手段】
【０００７】
上記の課題を解決するため、請求項１に係る考案は、容器本体に装着される筒状の口部材と、前記口部材の口部に嵌め込んで回転操作によって開閉する蓋部材と、前記口部材の口部に嵌め込んで全閉位置まで回転した前記蓋部材を、その状態にロックするロック手段と、前記ロック手段によるロックを解除するロック解除手段とを備え、前記ロック手段は、ロック解除位置とロック位置との間で前記蓋部材の径方向に出退可能に前記蓋部材に取り付けられた、前記蓋部材の径方向に突出する係止突起を有するロック部材と、前記ロック部材をロック位置側に付勢する付勢手段と、前記蓋部材を全閉位置まで回転したときに、前記ロック部材の前記係止突起に係合して前記蓋部材の開方向への回転操作を阻止する、前記口部材に設けられた係合部とを有し、前記ロック解除手段は、前記ロック部材をロック解除位置側に押込み可能に前記蓋部材に取り付けられた操作部材を有し、前記操作部材は、前記蓋部材の開方向に押圧することで、前記ロック部材をロック解除位置側に押し込むようになっていることを特徴とする飲料容器の栓体を提供するものである。
【０００８】
また、請求項２に係る考案は、請求項１に係る考案の飲料容器の栓体において、前記操作部材は、前記蓋部材の内周面に沿ってスライド可能に前記蓋部材に支持されており、前記蓋部材は、その周面に前記操作部材が露出する窓部を有していることを特徴としている。
【０００９】
また、請求項３に係る考案は、請求項２に係る考案の飲料容器の栓体において、前記窓部は、前記蓋部材の周面から天面にわたって形成されていることを特徴としている。
【００１０】
また、請求項４に係る考案は、請求項１、２または３に係る考案の飲料容器の栓体において、前記係合部は、前記口部材の内周面に設けられており、前記蓋部材は、前記口部材内に入り込み、全閉位置まで回転したときに前記容器本体の開口部を閉塞する閉塞部を有し、前記ロック部材は、ロック位置側に付勢された状態で、前記係止突起が前記閉塞部の外周面から径方向外側に突出するように、前記閉塞部内に収容されていることを特徴としている。
【考案の効果】
【００１１】
以上のように、請求項１に係る考案の飲料容器の栓体は、ロック手段による蓋部材のロックを解除するロック解除手段の操作部材は、ロック部材をロック解除位置側に押込み可能に蓋部材に取り付けられており、しかも、操作部材を蓋部材の開方向に押圧することで、ロック部材をロック解除位置側に押し込むようになっているので、蓋部材のロック解除動作と蓋部材の開方向への回転動作とを連続的に行うことができ、全閉位置にロックされた蓋部材を円滑に取り外すことができる。
【００１２】
また、請求項２に係る考案の飲料容器の栓体は、操作部材が、蓋部材の内周面に沿ってスライド可能に蓋部材に支持されており、蓋部材は、その周面に操作部材が露出する窓部を有しているので、蓋部材を開方向に回転させる感覚で蓋部材のロック解除動作を行うことができる。
【００１３】
特に、請求項３に係る考案の飲料容器の栓体は、窓部が、蓋部材の周面から天面にわたって形成されているので、さらに操作性がよい。
【００１４】
また、請求項４に係る考案の飲料容器の栓体は、係合部が口部材の内周面に設けられており、蓋部材は、口部材内に入り込み、全閉位置まで回転したときに容器本体の開口部を閉塞する閉塞部を有し、ロック部材は、ロック位置側に付勢された状態で、係止突起が閉塞部の外周面から径方向外側に突出するように、閉塞部内に収容されているので、ロック解除手段の操作部材を蓋部材の開方向に押圧することによって、操作部材がロック部材を蓋部材の径方向内側に押し込む構成を採用すればよく、構造がシンプルになるという効果が得られる。
【図面の簡単な説明】
【００１５】
【図１】この考案に係る栓体の一実施形態が装着された飲料容器を示す正面図である。
【図２】同上の栓体から蓋部材を取り外した状態を示す斜視図である。
【図３】同上の飲料容器を示す部分拡大縦断面図である。
【図４】同上の飲料容器を示す分解斜視図である。
【図５】（ａ）は同上の栓体における蓋部材をロックした状態を示す平面図、（ｂ）は同上の蓋部材のロックを解除した状態を示す平面図である。
【図６】（ａ）は同上の栓体における蓋部材をロックした状態を示す一部切欠断面図、（ｂ）は同上の栓体における蓋部材のロックを解除した状態を示す一部切欠断面図である。
【図７】（ａ）は同上の蓋部材をロックした状態におけるロック部材の係止突起と口部材に設けられた係合部との関係を示す、口部材の底面側から視た一部切欠断面図、（ｂ）は同上の蓋部材のロックを解除した状態におけるロック部材の係止突起と口部材に設けられた係合部との関係を示す、口部材の底面側から視た一部切欠断面図である。
【図８】（ａ）は同上の栓体における蓋部材をロックした状態を示す縦断面図、（ｂ）は同上の栓体における蓋部材のロックを解除した状態を示す縦断面図である。
【図９】従来の栓体が装着されている飲料容器を示す分解斜視図である。
【考案を実施するための形態】
【００１６】
以下、実施の形態について図面を参照して説明する。図１〜図４は、この考案に係る栓体１が容器本体ＣＢに装着された飲料容器の上部を示している。
【００１７】
前記栓体１は、同図に示すように、容器本体ＣＢに装着される筒状の口部材１０と、この口部材１０に嵌め込んで回転操作によって開閉する蓋部材２０と、口部材１０に嵌め込んで全閉位置まで回転した蓋部材２０を、その状態にロックするロック手段及びこのロック手段によるロックを解除するロック解除手段とを備えている。
【００１８】
前記口部材１０は、図２〜図４に示すように、容器本体ＣＢの上端開口部に装着される大径の装着部１１と、この装着部１１に連設された、蓋部材２０が嵌合する中径の嵌合部１２と、この嵌合部１２に連設された口部１３とを備えており、嵌合部１２の内周面側に形成された周溝１２ａに容器本体ＣＢの上端部がリング状のパッキン１４を介して嵌入されていると共に、嵌合部１２の外周面には、３つの溝部１２ｂが等角度で形成されている。
【００１９】
前記溝部１２ｂは、嵌合部１２の上端から下端に向かって蓋部材２０の閉方向に傾斜した状態で延びており、この溝部１２ｂの上端部は、後述する蓋部材２０に設けられた凸部２１ｂが進入することができるように、上方側に開放されている。
【００２０】
この溝部１２ｂは、その開放された上端が蓋部材２０の開位置に、閉塞された下端が蓋部材２０の全閉位置にそれぞれ対応しており、溝部１２ｂの閉塞された下端部には、進入した蓋部材２０の凸部２１ｂを溝部１２ｂの下端部に位置決めすることによって蓋部材２０を全閉位置に位置決めするために、凸部２１ｂが乗り越えて係合する係止突起１２ｃが設けられている。
【００２１】
前記蓋部材２０は、図１〜図４に示すように、略円盤状の上面壁２２及び上面壁２２の周縁から垂下した周壁２３を有する外蓋２１と、この外蓋２１における上面壁２２の下面に取り付けられた、口部材１０内に入り込む閉塞部２４とを備えており、外蓋２１は、上面壁２２から周壁２３に渡って部分的に形成された、後述するロック解除手段の操作部材４０が露出する窓部２１ａを有している。
【００２２】
前記外蓋２１は、その内周面に、口部材１０の嵌合部１２に形成された溝部１２ｂに嵌合する３つの凸部２１ｂが、各溝部１２ｂに対応するように等角度で形成されており、各凸部２１ｂを口部材１０の各溝部１２ｂの開放された上端部に侵入させるように、外蓋２１を口部材１０の嵌合部１２に嵌め込んで全閉位置まで回転させると、凸部２１ｂが溝部１２ｂの閉塞された下端部まで案内され、係止突起１２ｃを乗り越えて蓋部材２０が全閉位置に位置決めされるようになっている。
【００２３】
前記閉塞部２４は、略円筒状で有底の本体部２５と、この本体部２５の上端から径方向外側に張り出すフランジ部２６とを有しており、本体部２５及びフランジ部２６における外蓋２１の窓部２１ａに対応する部分が切り欠かれている。
【００２４】
前記本体部２５は、図２及び図３に示すように、その下端部に形成された周溝２５ａにリング状のパッキン２７が装着されており、口部材１０に嵌め込んだ蓋部材２０を全閉位置まで回転させたときに、本体部２５が容器本体ＣＢの上端開口部に入り込んで、その上端開口部の内側に張り出した小径部ｓｄにパッキン２７が密着することで、容器本体ＣＢの上端開口部を密閉するようになっている。
【００２５】
ロック手段は、ロック解除位置とロック位置との間で蓋部材２０の径方向に出退可能に、蓋部材２０の閉塞部２４の本体部２５内に収容された、蓋部材２０の径方向に突出する係止突起３２を有するロック部材３１と、このロック部材３１をロック位置側に付勢するコイルバネ３３と、蓋部材２０を口部材１０に嵌め込んで全閉位置まで回転させたときに、ロック部材３１の係止突起３２に係合して蓋部材２０の開方向への回転操作を阻止する、口部材１０の口部１３の内周面に設けられた、径方向内側に張り出す３つ係合部３４とから構成されており、３つの係合部３４は、口部材１０の嵌合部１２に形成された各溝部１２ｂに対応するように等角度で配置されている。
【００２６】
前記蓋部材２０の閉塞部２４（本体部２５）には、図３及び図４に示すように、切欠部の下方側に小孔２５ｂが形成されており、ロック部材３１の先端に設けられた係止突起３２が小孔２５ｂから突出可能な状態で、閉塞部２４の本体部２５内に収容されている。
【００２７】
前記係合部３４は、蓋部材２０を口部材１０に嵌め込んで閉方向に回転させたときに、蓋部材２０（閉塞部２４）の径方向外側に付勢された状態で、閉塞部２４の本体部２５の外周面（小孔２５ｂ）から突出しているロック部材３１の係止突起３２が蓋部材２０（閉塞部２４）の径方向内側に押圧されながら移動できるように、蓋部材２０の閉方向に向かって徐々に張出量が大きくなった、平面視略三角形状を有しており、蓋部材２０を全閉位置まで回転させたときに、ロック部材３１の係止突起３２が係合部３４を乗り越えて、その端面に係止されるようになっている。従って、蓋部材２０を口部材１０に嵌め込んで全閉位置まで回転させると、蓋部材２０がその状態にロックされ、開方向への回転操作が阻止されるようになっている。
【００２８】
前記ロック解除手段は、ロック部材３１の先端上部をロック解除位置側に押込み可能な操作部材４０を有しており、この操作部材４０は、蓋部材２０の外蓋２１の内周面に沿って所定範囲でスライド可能に外蓋２１に支持されている。
【００２９】
前記操作部材４０は、蓋部材２０の外蓋２１の内周面に摺接可能な円弧面によって形成された前面の中央部を部分的に窪ませた操作部４１を有しており、この操作部４１が外蓋２１に形成された窓部２１ａから露出した状態で、前面における操作部４１の両外側部分（円弧面）が、外蓋２１の内周面における窓部２１ａの両外側部分に摺接している。
【００３０】
前記蓋部材２０の外蓋２１は、図３及び図４に示すように、その窓部２１ａの下縁から径方向内側に張り出した、操作部材４０の下面の前端部を支持する支持片２１ｃを有していると共に、上面壁２２における窓部２１ａの周辺部から下方側に張り出した、操作部材４１を外蓋２１の内周面に沿うように案内する、外面が円弧状に形成されたガイド片２１ｄを有している。
【００３１】
前記操作部材４０は、その上端縁及び中間部から外蓋２１の径方向内側に張り出す、先端縁が、外蓋２１のガイド片２１ｄの外面と同一の円弧状に形成された当接片４２、４３を有しており、この当接片４２、４３が外蓋２１のガイド片２１ｄに摺接した状態で、前端部が支持片２１ｃの上に載置されている。
【００３２】
前記操作部材４０は、図３、図７（ａ）、（ｂ）及び図８（ａ）、（ｂ）に示すように、下端縁から外蓋２１の径方向内側に張り出してロック部材３１の先端上部に当接する押込片４４が、蓋部材２０の閉方向側の端部から蓋部材２０の開方向側の端部と閉方向側の端部との中間位置付近に渡って形成されており、この押込片４４の張出量は、蓋部材２０の閉方向側の端部が最も大きく、蓋部材２０の開方向側に向かって徐々に小さくなり、そこから蓋部材２０の開方向側の端部までは、押込み不能な領域となる。
【００３３】
前記ロック部材３１は、コイルバネ３３によってロック位置側（外蓋２１の径方向外側）に常時付勢されているので、図５（ａ）、図６（ａ）、図７（ａ）及び図８（ａ）に示すように、操作部材４０は、ロック位置側に付勢されているロック部材３１に押されて、蓋部材２０の閉方向側に移動し、ロック部材３１を押し込むことができない、押込片４４における蓋部材２０の開方向側の端部がロック部材３１に当接した状態、即ち、ロック部材３１の係止突起３２がロック位置まで前進した状態となっている。従って、蓋部材２０を口部材１０に嵌め込んで全閉位置まで回転させた状態では、同図に示すように、係止突起３２によって係合部３４が係止され、即ち、ロック手段によって蓋部材２０が全閉状態にロックされ、蓋部材２０を開方向に回転させることができない状態となる。
【００３４】
この状態から、図５（ｂ）に矢印で示すように、操作部４１を蓋部材２０の開方向側に押圧することで、操作部材４０を蓋部材２０の開方向側に摺動させると、図６（ｂ）、図７（ｂ）及び図８（ｂ）に示すように、ロック部材３１に対する押込片４４の当接位置が張出量の大きい蓋部材２０の閉方向側に移動し、これに伴って、ロック部材３１が、コイルバネ３３の付勢力に抗して、ロック解除位置側（外蓋２１の径方向内側）に押し込まれ、ロック部材３１の係止突起３２がロック位置からロック解除位置に後退するので、蓋部材２０を口部材１０に嵌め込んで全閉位置まで回転させた状態では、同図に示すように、係止突起３２による係合部３４の係止が解除され、即ち、ロック手段による蓋部材２０のロックが解除され、蓋部材２０を開方向に回転させることができる状態となる。
【００３５】
以上のように、この飲料容器の栓体１では、ロック手段による蓋部材２０のロックを解除するロック解除手段の操作部材４０が、ロック部材３１をロック解除位置側に押込み可能に蓋部材２０に取り付けられており、しかも、操作部材４０を蓋部材２０の開方向に押圧することで、ロック部材３１をロック解除位置側に押し込むようになっているので、蓋部材２０のロック解除動作と蓋部材２０の開方向への回転動作とを連続的に行うことができ、全閉位置にロックされた蓋部材２０を円滑に取り外すことができる。
【００３６】
また、この栓体１は、操作部材４０が、蓋部材２０の内周面に沿ってスライド可能に蓋部材２０に支持されており、蓋部材２０は、その周面に操作部材４０の操作部４１が露出する窓部２１ａを有しているので、蓋部材２０を開方向に回転させる感覚で蓋部材２０のロック解除動作を行うことができる。
【００３７】
特に、窓部２１ａは、蓋部材２０の周面から天面にわたって形成されているので、蓋部材２０のロックを解除するために、操作部材４０の操作部４１を蓋部材２０の開方向に押圧しやすく、操作性にも優れている。
【００３８】
また、この栓体１は、ロック手段の係合部３４が口部材１０の内周面に設けられていると共に、蓋部材２０は、口部材１０内に入り込み、全閉位置まで回転したときに容器本体ＣＢの開口部を閉塞する閉塞部２４を有しており、ロック手段のロック部材３１は、コイルバネ３３によってロック位置側に付勢された状態で、その係止突起３２が閉塞部２４の外周面から径方向外側に突出するように、閉塞部２４内に収容されているので、構造がシンプルになり、栓体１がコンパクトになる。
【００３９】
なお、上述した実施形態では、口部材１０の外周面に３つの溝部１２ｂを等角度で設けると共に、各溝部１２ｂに嵌合可能な３つの凸部２１ｂを蓋部材２０の内周面に設けることで、口部材１０に対して任意の３位置で蓋部材２０を嵌合させることができるようにしているが、これに限定されるものではなく、例えば、溝部や凸部を１つ、２つまたは４つ以上設けることも可能である。
【００４０】
また、上述した実施形態では、ロック部材３１の係止突起３２に係合して蓋部材２０の開方向への回転操作を阻止する３つの係合部３４を、口部材１０の各溝部１２ｂに対応するように、口部材１０の内周面に等角度で設けることで、口部材１０に対してどの位置で蓋部材２０を嵌合させた場合であっても、全閉位置で蓋部材２０をロックすることができるようになっているが、これに限定されるものではなく、口部材１０の１つの溝部１２ｂに対応するように、口部材１０の内周面に１つの係合部を設けることも可能である。ただし、その場合は、ロック可能な位置でのみ口部材１０に対して蓋部材２０を嵌合させることができるようにしておく必要がある。
【００４１】
また、上述した実施形態では、蓋部材２０の外蓋２１の内周面に形成された凸部２１ｂを口部材１０の嵌合部１２に形成された溝部１２ｂに嵌合させることによって、蓋部材２０を口部材１０に取り付けるようになっているが、これに限定されるものではなく、例えば、外蓋の内周面に雌ねじを形成すると共に、その雌ねじに螺合する雄ねじを口部材１０の嵌合部１２の外周面に形成し、蓋部材２０を口部材１０にねじ込んで取り付けるようにしてもよい。
【００４２】
また、上述した実施形態では、蓋部材２０の外蓋２１に形成された窓部２１ａ内に操作部材４０の操作部４１を露出させているが、これに限定されるものではなく、例えば、外蓋２１の外周面を周方向にスライド可能な操作部材を設けることも可能である。ただし、その場合も、操作部材を蓋部材２０の開方向にスライドさせたときに、蓋部材２０のロックが解除されるようにしておく必要があることはいうまでもない。
【産業上の利用可能性】
【００４３】
本考案は、携帯用魔法瓶や水筒等の携帯用飲料容器等の飲料容器の栓体として利用することができる。
【符号の説明】
【００４４】
１  栓体
１０  口部材
１１  装着部
１２  嵌合部
１２ａ  周溝
１２ｂ  溝部
１２ｃ  係止突起
１３  口部
１４  パッキン
２０  蓋部材
２１  外蓋
２１ａ  窓部
２１ｂ  凸部
２１ｃ  支持片
２１ｄ  ガイド片
２２  上面壁
２３  周壁
２４  閉塞部
２５  本体部
２５ａ  周溝
２５ｂ  小孔
２６  フランジ部
２７  パッキン
３１  ロック部材
３２  係止突起
３３  コイルバネ
３４  係合部
４０  操作部材
４１  操作部
４２、４３  当接片
４４  押込片
ＣＢ  容器本体
ｓｄ  小径部
【図１】
0003195450.tif 000003
【図２】
0003195450.tif 000004
【図３】
0003195450.tif 000005
【図４】
0003195450.tif 000006
【図５】
0003195450.tif 000007
【図６】
0003195450.tif 000008
【図７】
0003195450.tif 000009
【図８】
0003195450.tif 000010
【図９】
0003195450.tif 000011